【事件の表示】
　特許第３１７１９２２号「インクジェット記録装置」の請求項１乃至７に係る特許に対する特許異議の申立てについて、次のとおり決定する。
【結　論】
　訂正を認める。
　特許第３１７１９２２号の請求項５乃至７に係る特許を取り消す。
　同請求項１乃至４に係る特許を維持する。
【理　由】
  １．手続の経緯
　本件特許第３１７１９２２号の請求項１乃至７に係る発明についての出願は、平成４年５月２５日に特許出願され、平成１３年３月２３日にその特許権の設定の登録がなされ、請求項１乃至７に係る特許について、申立人渡辺等より特許異議の申し立てがなされ、取消理由通知がなされ、その指定期間内である平成１４年５月２１日に訂正請求がなされ、その後、申立人渡辺等に対して審尋がなされ、その指定期間内の平成１５年１月６日に回答書が提出されたものである。
　　　
２．訂正の適否
（１）訂正の内容
　特許権者の求めている訂正の内容は、以下のとおりである（訂正箇所にアンダーラインを付した。）。
　ａ．訂正事項ａ
　特許請求の範囲の請求項１及び請求項２の
「【請求項１】　インク色に応じた複数の記録ヘッドを用い、該複数の記録ヘッドから布にインクを吐出して画像を記録するためのインクジェット記録装置において、
　前記記録に際して、前記複数の記録ヘッドを移動させるための移動手段と、
　該移動手段による前記複数の記録ヘッドの移動領域へ前記布を搬送するための搬送手段と、
　入力画像データを前記複数の記録ヘッドのインク色のデータに変換する色変換テーブルを用い、前記入力画像データを前記複数の記録ヘッドのインク吐出用データとするための処理を行う画像処理手段と、
　前記搬送手段が搬送する布の種類に応じて、前記画像処理手段における色変換テーブルを変化させる制御手段と、
　を具えたことを特徴とするインクジェット記録装置。」
及び
「【請求項２】　前記画像処理手段は、さらにヘッドシェーディングテーブルまたはγ変換テーブルの少なくとも一つを用い、前記制御手段は、前記布の種類に応じてさらにヘッドシェーディングテーブルまたはγ変換テーブルを変化させることを特徴とする請求項１に記載のインクジェット記録装置。」
を、それぞれ、
「【請求項１】　インク色に応じた複数の記録ヘッドを用い、該複数の記録ヘッドから布にインクを吐出して画像を記録するためのインクジェット記録装置において、
　前記記録に際して、前記複数の記録ヘッドを移動させるための移動手段と、
　該移動手段による前記複数の記録ヘッドの移動領域へ前記布を搬送するための搬送手段と、
　入力画像データを
、
と濃度むら補正を行うヘッドシェーディングテーブルと
　前記搬送手段が搬送する布の種類に応じて、前記画像処理手段における
前記
と前記シェーディングテーブルと
　を具えたことを特徴とするインクジェット記録装置。」
及び
「【請求項２】　前記画像処理手段は、さらにγ変換テーブルを
用いる
と訂正する。
ｂ．訂正事項ｂ      
　段落【００１５】を、
「【課題を解決するための手段】
　そのために本発明では、インク色に応じた複数の記録ヘッドを用い、該複数の記録ヘッドから布にインクを吐出して画像を記録するためのインクジェット記録装置において、前記記録に際して、前記複数の記録ヘッドを移動させるための移動手段と、該移動手段による前記複数の記録ヘッドの移動領域へ前記布を搬送するための搬送手段と、入力画像データを
、
と濃度むら補正を行うヘッドシェーディングテーブルと
前記
と前記ヘッドシェーディングテーブルと
と訂正する。
ｃ．訂正事項ｃ
　段落【００１９】及び段落【００８２】のそれぞれにおける、
「入力画像データをインク色に応じた複数の記録ヘッドそれぞれのインク色のデータに変換する色変換テーブルを、搬送手段が搬送する布の種類に応じて変化させるので、布の種類に応じた発色の違いを抑制して常に一定の色再現を行なうことができる。」
　を、
「入力画像データを
、
と濃度むら補正を行うヘッドシェーディングテーブルと
と訂正する。
ｄ．訂正事項ｄ
　段落【００６４】の
 「面、絹、毛、ナイロン、ポリエステル、アクリル等、印刷に用いる布の材質に応じて送り量の調整は、」を、
「
綿
と訂正する。　　
（２）訂正の目的の適否、新規事項の有無及び拡張・変更の存否
　ア．訂正事項ａについて
　上記訂正事項ａに関連する記載として、願書に添付した明細書（以下、特許明細書という。）には、「次段のＨＳ（ヘッドシェーディング）変換５１０もテーブル変換を行うものであり、図１等に示した記録ヘッド２ａ〜２ｄ（図４では、Ｃ１，Ｃ２，Ｍ１，Ｍ２，Ｙ１，Ｙ２，Ｋ１およびＫ２の参照符号が付されたもの）の各吐出口に対応する印刷濃度のばらつき（むら）の補正を行う。例えば、吐出インク量が少なく記録ドットの濃度が薄くなる吐出口は濃い目にデータ変換し、濃度の濃い吐出口は薄めにデータ変換し、中くらいの吐出口はそのまま流すという処理を行う。５１１はこのＨＳテーブル変換用のＳＲＡＭである。」（段落【００４７】）が記載され、願書に添付した図面には、テーブル変換を行うＨＳ変換５１０を含むコントロールボード内の構成を示すブロック図（第５図）が記載されている。
　してみると、上記訂正事項ａは、特許明細書または図面に記載した範囲内で、元の請求項１に記載されていた画像処理手段が用いるテーブルとして、上記元の請求項１を引用しその全部をその構成要件としていた元の請求項２において、γ変換テーブルと共に選択事項としていた濃度むら補正を行うヘッドシェーディングテーブルを、構成要件として追加して、新たな請求項１とすると共に、これに伴い、画像処理手段が用いるテーブルとして上記γ変換テーブルを、構成要件としたものを、新たな請求項２としたものと認める。
　ゆえに、上記訂正事項ａは、特許請求の範囲の減縮を目的としたものであって、新規事項の追加に該当せず、実質的に特許請求の範囲を拡張変更するものでない。
　イ．訂正事項ｂ及びｃについて
　上記訂正事項ｂ及びｃは、上記訂正事項ａに伴い、特許請求の範囲の記載と発明の詳細な説明の記載との整合を図るため、発明の詳細な説明の記載を訂正したもので、明瞭でない記載の釈明を目的としたものであって、新規事項の追加に該当せず、実質的に特許請求の範囲を拡張変更するものでない。
　ウ．訂正事項ｄについて
　訂正事項ｄの、布の例を示す記載中の「面」を「綿」と訂正する訂正は、明らかな誤記の訂正を目的としたものであって、新規事項の追加に該当せず、実質的に特許請求の範囲を拡張変更するものでない。
（３）むすび
　以上のとおりであるから、上記訂正は、特許法等の一部を改正する法律（平成６年法律第１１６号）附則第６条第１項の規定によりなお従前の例によるとされる、平成１１年改正前特許法第１２０条の４第３項において準用する平成６年法律第１１６号による改正前の特許法第１２６条第１項ただし書及び第２項の規定に適合するので、当該訂正を認める。
　　　　
３．特許異議申し立てについての判断
（１）申立の理由の概要
  特許異議申立人渡辺等は、甲第１号証（特開昭６３−１２０５６１号公報）、甲第２号証（特開昭６１−６３６６号公報）、甲第３号証（特開平２−２３５７５２号公報）及び甲第４号証（特開昭６３−６１８３号公報）を提出して、請求項１乃至７に係る発明は、これらに記載された発明から当業者が容易に発明をすることができたものであると主張している。
　　　
（２）本件請求項１乃至７に係る発明
　本件請求項１乃至７に係る発明（以下、「本件発明１乃至７」という。）は、上記訂正によって訂正された明細書の特許請求の範囲の請求項１乃至７に記載された次のとおりのものである。
「【請求項１】　インク色に応じた複数の記録ヘッドを用い、該複数の記録ヘッドから布にインクを吐出して画像を記録するためのインクジェット記録装置において、
　前記記録に際して、前記複数の記録ヘッドを移動させるための移動手段と、
　該移動手段による前記複数の記録ヘッドの移動領域へ前記布を搬送するための搬送手段と、
　入力画像データを、前記複数の記録ヘッドのインク色のデータに変換する色変換テーブルと濃度むら補正を行うヘッドシェーディングテーブルとを用い、前記入力画像データを前記複数の記録ヘッドのインク吐出用データとするための処理を行う画像処理手段と、
　前記搬送手段が搬送する布の種類に応じて、前記画像処理手段における前記色変換テーブルと前記シェーディングテーブルとを変化させる制御手段と、
　を具えたことを特徴とするインクジェット記録装置。
【請求項２】　前記画像処理手段は、さらにγ変換テーブルを用いることを特徴とする請求項１に記載のインクジェット記録装置。
【請求項３】　前記制御手段は、さらに布の種類に応じて、前記搬送手段が搬送する布の搬送量を変化させることを特徴とする請求項１または２に記載のインクジェット記録装置。
【請求項４】　前記インクジェット記録装置はオペレータ用操作部をさらに具え、前記布の種類にかかるデータを該操作部の入力手段によって入力可能であると共に、該入力データは不揮発性メモリで保持されることを特徴とする請求項１ないし３のいずれかに記載のインクジェット記録装置。
【請求項５】　インクを吐出するための記録ヘッドを用い、布にインクを吐出して画像を記録するためのインクジェット記録装置において、
　前記記録に際して、前記記録ヘッドを移動させるための移動手段と、
　該移動手段による前記記録ヘッドの移動領域へ前記布を搬送するための搬送手段と、
　入力画像データを前記記録ヘッドのインク吐出用データとするための処理を行う画像処理手段と、
　前記搬送手段が記録のために搬送する布の伸縮性に応じて、前記搬送手段による搬送量を変化させる制御手段と、
　を具えたことを特徴とするインクジェット記録装置。
【請求項６】　前記画像処理手段の処理パラメータは、γ変換またはヘッドシェーディングのためのパラメータの少なくとも一つを含むことを特徴とする請求項５に記載のインクジェット記録装置。
【請求項７】　前記記録ヘッドは、該記録ヘッドが吐出する一つの色のインクについて二つ用いられることを特徴とする請求項５または６に記載のインクジェット記録装置。 」
　　　　
（３）引用刊行物に記載された発明
　当審で通知した取消理由は、上記異議申立人の上記主張を援用し、上記甲第１乃至４号証を刊行物１乃至４として引用したものである。
　引用した刊行物１乃至４には、本件発明１乃至７に関連する事項として、以下のような事項が記載されている。
　ア．刊行物１（＝甲第１号証）           
ａ．カラー画像を入力する入力手段と、前記カラー画像情報に色補正を行う色補正手段と、・・・前記色補正手段よりの画像信号に基づき像形成を行う像形成手段と、該像形成手段の記録材の種類に対応して前記色補正手段の補正パラメータの変更・・・を行う手段とを備えることを特徴とするカラー画像記録装置」（特許請求の範囲の請求項１）
ｂ．「図中、１〜３はそれぞれ黄（Ｙ）、マゼンタ（Ｍ）、シアン（Ｃ）の濃度を表わすデジタルカラー画像信号である。４は入力した画像信号を鏡像に変換する鏡像変換回路で、例えばカラー画像信号１〜３を一旦メモリに記憶し鏡像になる順序で読出すことにより鏡像を得るものである。５〜７は鏡像変換されたＹ、Ｍ、Ｃ信号である。８は色補正回路で、例えばマスキング回路、ＵＣＲ回路、各色ごとのガンマ補正回路等の公知の色補正を行う回路であり、色補正パラメータ変更信号１５によってマスキング係数、ＵＣＲ係数、ガンマ値等の色補正パラメータを変更できる様に構成されている。９〜１２はＹ、Ｍ、Ｃ信号を補正したＹ′、Ｍ′、Ｃ′、Ｂｋ′信号である。１３は例えばカラーインクジェット法により像形成を行う像形成部、１６は像形成部１３における記録材（印刷媒体）の種類や画像信号の種類等によって、色補正回路８による色補正パラメータの変更指示や鏡像変換指示信号１４を切換えて出力するモードスイッチである。」（ 第３頁左上欄１０行〜同頁右上欄１３行）
ｃ．「［像形成部の説明（第４図）］・・・第４図においてロール状に巻かれた記録材４０は、搬送ローラ４１，４２を経て給送ローラ４３でくわえられて回転することにより４４方向に送られる。・・・キャリッジ４８に搭載された記録ヘッドユニット４９が左右に走査する。キャリッジ４８にはイエロ、マゼンタ、シアン、ブラックの４色のヘッド４９Ｙ、４９Ｍ、４９Ｃ、４９Ｂｋが搭載されており、これに４色のインクタンクが配置されている。記録材４５は・・・記録材４５が停止している時に記録ヘッド４９はＰ方向に走査し、画像信号に応じたインク滴を吐出する。」（第５頁左上欄１３行〜同頁右上欄１４行）
ｄ．「［色補正回路の説明（第３図）］第３図は色補正回路８の一部、特にＹ信号の変換回路を示す図で、例えば色補正回路８の３色の入力信号Ｙ、Ｍ、Ｃに対して、出力信号Ｙ′、Ｍ′、Ｃ′が・・・で示されるマスキング処理を施して色補正を行う場合、ａ１１〜ａ３３の係数を色補正パラメータ変更信号１５に応じて切り換える構成になっている。・・・８ビットのＹ信号５は係数乗算ＲＯＭ３０の下位８ビットのアドレスに入力され、１ビットの色補正パラメータ変更信号１５は下位より９ビット目のアドレスに入力されている。ＲＯＭ３０には下位８ビットのアドレス信号をＡとすると、そのアドレスＡにはａ１１Ａの値が記憶されている。この色補正は９ビット目の変更信号１５の値に対応して２種類が設定されることになり、例えば変更信号１５が“０”のときはａ１１Ｙ、“１”のときはａ１１′Ｙとなる。」（第４頁左上欄９行〜同頁左下欄５行）
　イ．刊行物２（＝甲第２号証）
ａ．「本発明者らの検討によれば、紙に印字する場合に比較し、布帛の場合、色がうすく見える、にじみやすいなどの問題があるばかりでなく、染色対象となる布帛の種類が非常に多様であるため布帛により色濃度やにじみに大きな差があるという新しい問題を有することがわかった。」（第１頁左欄下から１行目〜同頁右下欄５行）
　ウ．刊行物３（＝甲第３号証）
ａ．「第９図はシリアルスキャン型のインクジェット記録装置の概略構成例を示す。第９図において、１はロール紙形態の被記録材であり、搬送ローラ４，５を経て給送ローラ２で挟持され、給送ローラ２に結合した副走査用のパルスモータ３の駆動により図中ｆ方向に送られる・・・インクジェット記録ヘッド７が主走査モータ９により・・・左右に主走査される・・・この記録ヘッドは副走査方向に複数配列されたインク吐出口を有し、・・・被記録材１はインクジェットヘッド７の主走査時の記録幅分、すなわち吐出口の配列範囲に対応した量ずつｆ方向に間欠的に副走査される・・・一般に用いられる被記録材は、インクを吸収すると伸びる性質を有するものがあり、記録されるインクの量によって必要な副走査送り量が変化することになる」（２頁左上欄１６行〜左下欄１４行）
ｂ．「本例によれば、記録インク量が多くなり被記録材が伸びることによって必要な副走査量に変化が生じても、そのインク量に応じたパルス数だけ副走査用のパルスモータ３が副走査を行うため、常に最適な副走査が行われ、白スジ，黒スジのない良好な画像が得られることになる。次に、本発明の第２の実施例を説明する。・・・本実施例では・・・フルカラー画像を形成する。・・・次に、本発明の第３の実施例を説明する。インクジェット記録装置の中には、コート紙，普通紙，ＯＨＰ用フィルム等、種々の被記録材への画像記録が可能なものがある。しかし記録インク量と被記録材の伸び量との関係は、被記録材の種類によって異なるため、第３図に示したように、積算信号から副走査パルス数への変換テーブルが１種類のみでは、複数の被記録材に対応できないこともありうる。本実施例は、この点を解決したもので、被記録材の種類に応じて変換テーブルを切換えるようにしたものである。」（４頁左上欄１４行〜左下欄１５行）
ｃ．「記録インク量と、副走査方向の被記録材の長さとの関係が第７図中Ａ，Ｂ，Ｃのように異なる３種類の被記録材を使用するインクジェット記録装置の場合、ＲＯＭ２５には第８図におけるＥ，Ｆ，Ｇのような３種類の変換テーブルを記憶しておき、Ａ，Ｂ，Ｃの被記録材に対応する選択信号３４がＲＯＭ２５に入力されたときに、それぞれＥ，Ｆ，Ｇの変換テーブルが使用される。」（４頁右下欄８〜１５行）
　エ．刊行物４（＝甲第４号証）
　「インクジェットプリンタを用い、コンピュータ、制御下に織編物に印捺することにより模様を付与する方法が研究されている。・・・しかしながら、模様を付す対象の織編物は形態が概して不安定なので、折角模様を付したとしても、走査中の織編の伸び縮み、ゆがみ、ねじれなどが原因となって希望したとおりの模様にならない場合が多く、この新しい模様付与法は十分普及するに到っていない。・・・また伸縮性が大きい編物が外衣としても多く用いられるようになった等の状況からインクジェットプリンタを用いる織編物の印捺法の開発が強く望まれている。」（２頁左上欄２〜１９行）
    
（４）対比・判断 
　ア．本件発明１について、
　まず、本件発明１と上記刊行物１に記載された発明とを対比するに、
　上記刊行物１には、上記（３）ア．ａ．乃至ｃ．の記載事項を、対比のためにまとめると、
「インク色に応じた複数の記録ヘッドを用い、該複数の記録ヘッドから記録材（被印刷媒体）にインクを吐出して画像を記録するためのカラー画像記録装置において、
　前記記録に際して、前記複数の記録ヘッドを移動させるための移動手段と、
　該移動手段による前記複数の記録ヘッドの移動領域へ前記記録材（被印刷媒体）を搬送するための搬送手段と、
  入力画像データを、前記複数の記録ヘッドのインク色のデータに補正するマスキング係数、ＵＣＲ係数、ガンマ値等の色補正パラメータを用い、前記入力画像データを前記複数の記録ヘッドのインク吐出用データとするための処理を行う色補正回路８と、
　前記搬送手段が搬送する記録材（被印刷媒体）の種類に応じて、前記色補正回路８における前記色補正パラメータを変更させる制御手段と、
　を具えたことを特徴とするインクジェット記録装置。」
が記載されている。
　しかし、上記刊行物１には、入力画像データを複数の記録ヘッドのインク吐出用データとするための処理手段が、濃度むらの補正を行うヘッドシェーディングテーブルを用いる点及び搬送手段が搬送する布（記録材）の種類に応じて、前記ヘッドシェーディングテーブルを変化させる制御手段を具えた点について、記載も示唆もされていない。
　また、これらの点は、上記刊行物２乃至４のいずれにも、記載も示唆もされていない。
　そして、本件発明１は、これらの点を具備することにより、布の種類に応じて、吐出インク量が少なく記録ドットの濃度が薄くなる吐出口は濃いめにデータ変換し、濃度の濃い吐出口は薄めにデータ変換し、中くらいの吐出口はそのまま流すという処理を行うという上記刊行物１乃至４に記載されていない作用効果を奏するものである。
　したがって、本件発明１は、上記刊行物１乃至４に記載されたものと同一といえないばかりでなく、これらから当業者が容易に発明をすることができたものともいえない。
　イ．本件発明２乃至４について
　本件発明２乃至４は、本件発明１を引用し、その構成要件のすべてを具備するものであるから、本件発明１の判断と同様な理由で、上記刊行物１乃至４に記載されたものと同一といえないばかりでなく、これらから当業者が容易に発明をすることができたものともいえない。
　ウ．本件発明５について               
　上記刊行物３には、上記記載事項をまとめると、
「インクを吐出するためのインクジェット記録ヘッド７ａ〜７ｄを用い、コート紙，普通紙，ＯＨＰ用フィルム等、種々の被記録材１にインクを吐出して画像を記録するためのインクジェット記録装置において、
　前記記録に際して、前記インクジェット記録ヘッド７ａ〜７ｄを移動させるための移動手段と、
　該移動手段による前記インクジェット記録ヘッド７ａ〜７ｂの移動領域へ前記被記録材１を搬送するための搬送手段と、
　前記搬送手段が記録のために搬送する被記録材１のインク吸収量の違いによる被記録材１の伸び量の違いあるいは被記録材１の種類とインク吸収量の両者の違いによる被記録材１の伸び量の違いに応じて、前記搬送手段による搬送量を変化させる制御手段と、
　を具えたインクジェット記録装置。」
が記載されていると認める。
   
　本件発明５（前者）と上記刊行物３に記載された発明（後者）とを対比する。
　後者の「インクジェット記録ヘッド７ａ〜７ｄ」及び「インクジェット記録装置」は、それぞれ、前者の「記録ヘッド」及び「インクジェット記録装置」に相当しているし、また、後者の「コート紙，普通紙，ＯＨＰ用フィルム等、種々の被記録材１」と前者の「布」とは、被記録材である点で共通しているから、両者は、
「インクを吐出するための記録ヘッド用い、被記録材にインクを吐出して画像を記録するためのインクジェット記録装置において、
　前記記録に際して、前記記録ヘッドを移動させるための移動手段と、
　該移動手段による前記記録ヘッドの移動領域へ前記被記録材１を搬送するための搬送手段と、
　前記搬送手段による搬送量を変化させる制御手段と、
　を具えたインクジェット記録装置。」
である点で一致し、次の点で相違している。
　［相違点］
　Ａ．被記録材が、前者では、布であるのに対して、後者では、コート紙，普通紙，ＯＨＰ用フィルム等、種々の被記録材である点
　Ｂ．前者が、入力画像データを記録ヘッドのインク吐出用データとするための処理を行う画像処理手段を具えているとしているのに対して、後者ではその点が定かでない点、
　Ｃ．搬送手段による搬送量を変化させる制御手段が変化させる態様が、前者では、搬送する布の伸縮性に応じてであるのに対して、後者では、搬送する被記録材１のインク吸収量の違いによる被記録材１の伸び量の違いあるいは被記録材１の種類とインク吸収量の両者の違いによる被記録材１の伸び量の違いに応じてである点。
　［相違点の判断］
　相違点Ａについて、
　インクジェット記録装置の被記録材を、布帛、織編物等の布とすることは、上記刊行物２及び刊行物４にみられるように、周知であるから、相違点Ａは、当業者が容易に想起できる構成の変更である。
　相違点Ｂについて、
　上記刊行物１にもみられるように、インクジェット記録装置において、入力画像データを記録ヘッドのインク吐出用データとするための処理を行う画像処理手段を具えることは、周知であるから、この点は当業者が容易になす構成の変更である。
　相違点Ｃについて、
　後者が、搬送する被記録材１のインク吸収量の違いによる被記録材１の伸び量の違いあるいは被記録材１の種類とインク吸収量の両者の違いによる被記録材１の伸び量の違いに応じて、搬送量を変化させるのは、被記録材の伸びる原因はともかく、被記録材の伸び量すなわちその伸縮性が変化することによって必要な副走査量に変化が生じることによるものであることは、上記記載事項ウ．ａ．ｂ．からみて明らかである。
　また、布の種類により、その伸び量すなわち布の伸縮性が異なることは、当業者ならずとも常識である。
　してみると、後者において、その被記録材として布を選択し、その際、その布の伸縮性に応じて、搬送手段による搬送量を変化させ、相違点Ｃに係る構成することも、当業者が容易に想到できる程度のことである。
　したがって、本件発明５は、上記刊行物３に記載された発明と周知のことから、当業者が容易に発明をすることができたものと認められ、その作用効果も上記刊行物３記載の発明及び上記周知技術から予測できない格別のものでもない。
　エ．本件発明６について、
　　本件発明６は、上記本件発明５の画像処理手段が、さらに、その処理パラメータがγ変換またはヘッドシェーディングのためのパラメータの少なくとも一つを含むとしたものであるが、インクジェット記録装置が具える画像処理手段の処理パラメータとしてγ変換のためのパラメータを含むことは、上記刊行物１に記載されているように、周知であるから、本件発明６も、上記刊行物３記載の発明と周知のことから、当業者が容易に発明をすることができたものと認められ、その作用効果も格別でない。
　オ．本件発明７について
  本件発明７は、上記発明５の記録ヘッドが、記録ヘッドが吐出する一つの色のインクについて二つ用いられるとしたものであるが、インクジェット記録装置において、その記録ヘッドが、記録ヘッドが吐出する一つの色のインクについて二つ用いられるようにすることは、例えば、特開昭６１−２５３６５号公報、特開昭６１−１０８２５４号公報、特開昭６４−１５４５号公報にみられるように周知であるから、本件発明７も、上記刊行物３記載の発明と周知のことから、当業者が容易に発明をすることができたものと認められ、その作用効果も格別でない。
　
（５）むすび
　以上のとおりであるから、本件請求項５乃至７に係る発明は、特許法第２９条第２項の規定により特許を受けることができないものであり、したがって、本件請求項５乃至７に係る発明の特許は拒絶の査定をしなければならない特許出願に対してなされたものと認める。    
　また、本件請求項１乃至４に係る発明についての特許は、特許異議申し立ての理由によっては取り消すことができなく、また、他に、本件請求項１乃至４に係る発明についての特許を取り消すべき理由を発見しない。
　したがって、本件請求項１乃至４に係る発明についての特許は、拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年２月３日（２００３．２．３）
【訂正の要旨】
ａ．特許請求の範囲の請求項１における「入力画像データを前記複数の記録ヘッドのインク色のデータに変換する色変換テーブルを用い、前記入力画像データを前記複数の記録ヘッドのインク吐出用データとするための処理を行う画像処理手段」を、特許請求の範囲の減縮を目的として、「入力画像データを
、
と濃度むらの補正を行うヘッドシェーディングテーブルと
　同様に、請求項１における「前記搬送手段が搬送する布の種類に応じて、前記画像処理手段における色変換テーブルを変化させる制御手段」を、特許請求の範囲の減縮を目的として、「前記搬送手段が搬送する布の種類に応じて、前記画像処理手段における
前記
と前記ヘッドシェーディングテーブルと
ｂ．特許請求の範囲の請求項２における「前記画像処理手段は、さらにヘッドシェーディングテーブルまたはγ変換テーブルの少なくとも一つを用い、前記制御手段は、前記布の種類に応じてさらにヘッドシェーディングテーブルまたはγ変換テーブルを変化させる」を、特許請求の範囲の源縮を目的として、「前記画像処理手段は、さらにγ変換テーブルを用いる」と訂正します。
ｃ．上記訂正事項ａの訂正に伴い、特許請求の範囲の記載と発明の詳細な説明の記載との整合を図るため、明りょうでない記載の釈明を目的として、明細書の段落【００１５】全体を、
「　　【課題を解決するための手段】
　そのために本発明では、インク色に応じた複数の記録ヘッドを用い、該複数の記録ヘッドから布にインクを吐出して画像を記録するためのインクジェット記録装置において、前記記録に際して、前記複数の記録ヘッドを移動させるための移動手段と、該移動手段による前記複数の記録ヘッドの移動領域へ前記布を搬送するための搬送手段と、入力画像データを
、
と濃度むらの補正を行うヘッドシェーディングテーブルと
前記
と前記ヘッドシェーディングテーブルと
と訂正します。
ｄ．同様に、上記訂正事項ａの訂正に伴い、特許請求の範囲の記載と発明の詳細な説明の記載との整合を図るため、明りょうでない記載の釈明を目的として、明細書の段落【００１９】および段落【００８２】における「入力画像データをインク色に応じた複数の記録ヘッドそれぞれのインク色のデータに変換する色変換テーブルを、搬送手段が搬送する布の種類に応じて変化させるので、布の種類に応じた発色の違いを抑制して常に一定の色再現を行なうことができる。」を、「入力画像データを
、
と濃度むらの補正を行なうヘッドシェーディングテーブルと
ｅ．明細書の段落【００６４】の「面、絹、毛、ナイロン、ポリエステル、アクリル等、印刷に用いる布の材質に応じて送り量の調整は、」を、誤記の訂正を目的として、「
綿
（５４）【発明の名称】
インクジェット記録装置
（５７）【特許請求の範囲】
　【請求項１】　インク色に応じた複数の記録ヘッドを用い、該複数の記録ヘッドから布にインクを吐出して画像を記録するためのインクジェット記録装置において、
　前記記録に際して、前記複数の記録ヘッドを移動させるための移動手段と、
　該移動手段による前記複数の記録ヘッドの移動領域へ前記布を搬送するための搬送手段と、
　入力画像データを
、
と濃度むらの補正を行うヘッドシェーディングテーブルと
　前記搬送手段が搬送する布の種類に応じて、前記画像処理手段における
前記
と前記ヘッドシェーディングテーブルと
　【請求項２】　前記画像処理手段は、さらにγ変換テーブルを
用いる
　【請求項３】　前記制御手段は、さらに布の種類に応じて、前記搬送手段が搬送する布の搬送量を変化させることを特徴とする請求項１または２に記載のインクジェット記録装置。
　【請求項４】　前記インクジェット記録装置はオペレータ用操作部をさらに具え、前記布の種類にかかるデータを該操作部の入力手段によって入力可能であると共に、該入力データは不揮発性メモリで保持されることを特徴とする請求項１ないし３のいずれかに記載のインクジェット記録装置。
　【請求項５】　インクを吐出するための記録ヘッドを用い、布にインクを吐出して画像を記録するためのインクジェット記録装置において、
　前記記録に際して、前記記録ヘッドを移動させるための移動手段と、
　該移動手段による前記記録ヘッドの移動領域へ前記布を搬送するための搬送手段と、
　入力画像データを前記記録ヘッドのインク吐出用データとするための処理を行う画像処理手段と、
　前記搬送手段が記録のために搬送する布の伸縮性に応じて、前記搬送手段による搬送量を変化させる制御手段と、
を具えたことを特徴とするインクジェット記録装置。
　【請求項６】　前記画像処理手段の処理パラメータは、γ変換またはヘッドシェーディングのためのパラメータの少なくとも一つを含むことを特徴とする請求項５に記載のインクジェット記録装置。
　【請求項７】　前記記録ヘッドは、該記録ヘッドが吐出する一つの色のインクについて二つ用いられることを特徴とする請求項５または６に記載のインクジェット記録装置。
【発明の詳細な説明】
　【０００１】
　【産業上の利用分野】
　本発明は、特に連続して数十メートルにも及ぶ布等の長尺の被記録媒体に印刷（記録）を行うインクジェット記録装置に関する。
　【０００２】
　【従来の技術】
　インクジェット方式の印刷手段を用いて、長尺の被記録媒体、例えば布へ印刷を行うインクジェット記録装置は、比較的新しいものである。
　【０００３】
　この布へ記録を行う記録装置は、捺染装置として知られており、従来の捺染方法としては、
　Ａ）ローラーに模様を刻み込んで布地に押し当てて連続柄を生成するローラー捺染
　Ｂ）スクリーン型に版を作り、重ね合わせたい色、模様だけの数のスクリーン型を用意するスクリーン捺染
　が、主なものである。
　【０００４】
　このような従来方式と、インクジェット捺染方式のそれぞれが有する利点，欠点は、ここでは詳しくは説明しないが、インクジェット捺染方式はまったく新しいデザイン環境の提案や対環境性を考慮した捺染作業現場の革新等から、極めて多くの点で注目されているものである。
　【０００５】
　【発明が解決しようとする課題】
　ところで、インクジェット方式は、紙等を被記録媒体としたプリンタやコピー装置等の記録装置に用いられるものが一般に知られている。このようなインクジェット記録装置を被記録媒体を布に置き換えた捺染装置に応用した場合、種々の新しい技術課題が生ずる。例えば、捺染に用いられる布は、綿、絹、毛等の天然繊維や、ナイロン、ポリエステル、アクリル等の合成繊維など多様である。このため、これらの種々の布間で捺染に関わる諸特性が互いに異なることが多い。このような特性の差異は、例えば東京電気大出版局より出版された近藤一夫監修「染色」等に詳しい。
　【０００６】
　以下、このような問題点を具体的に挙げると以下のようになる。
　【０００７】
　１）同じ量のインクを布上に打ち込んでも布上に再現する画像濃度は、布種により異なる。
　【０００８】
　２）布の伸縮性によると考えられるが、同じ布送り量で記録を行った場合、記録ヘッドの１走査毎にそれぞれの走査帯間に発生するつなぎスジの現れ方が異なる。
　【０００９】
　３）記録ヘッドの吐出口面は布のケバを嫌うため、毛のようにケバが大きい繊維の場合、布表面と吐出口面間の間隔は広げる必要がある。この場合、記録ヘッドの吐出特性の一つである吐出方向の偏りの影響が顕著になり、濃度ムラの表れ方が変化する。
　【００１０】
　４）捺染装置は生産設備であるため、従来のインクジェット方式の応用例である、プリンタや複写機といった装置に比べ大型化する。
　【００１１】
　例えば、１走査で印刷する幅は２ｍ近くに達し、そのための回路系のメモリ量は極めて大きい。また、原画像データを記憶する画像メモリも膨大であり、数１００ＭＢｙｔｅにもなる。さらに、複写機等はインク色として、シアン、マゼンタ、イエロー、ブラックの４色あるが、捺染装置の場合、特色という形でこれら４色に２色以上追加する必要がある。さらに加えて、このような装置を保守するためには、保守要員の技術的レベルの高度化、保守時間の長期化等の問題が避けえない。
　【００１２】
　５）捺染装置を構成する場合、印刷用画像データを生成管理するのはワークステーション等のホストコンピュータであり、１つのホストコンピュータがネットワークを介して複数の捺染装置を管理する構成が好ましい。また、保守要員は、捺染装置の操作入出力手段である操作部上から必要な情報を得、必要な指示を出す構成が望ましい。
　【００１３】
　６）捺染装置は、通常、５０ｍ以上の連続出力で反物を作る。このような場合、例えば、４０ｍの印刷が終わった時点で、何らかの異常な印刷をすると、その反物は商品価値がなくなりそれまでの４０ｍは無駄になってしまい、大きな損失となる。
　【００１４】
　本発明は、インクジェット記録方式を、長尺の布を記録する場合に適用した場合の上記問題点に鑑みてなされたものであり、その目的は、布の種類に依存せずに、布上に再現するカラー画像の色を適切なものとしたり、つなぎスジの現われ方などを軽減できるインクジェット記録装置を提供することにある。
　【００１５】
　【課題を解決するための手段】
　そのために本発明では、インク色に応じた複数の記録ヘッドを用い、該複数の記録ヘッドから布にインクを吐出して画像を記録するためのインクジェット記録装置において、前記記録に際して、前記複数の記録ヘッドを移動させるための移動手段と、該移動手段による前記複数の記録ヘッドの移動領域へ前記布を搬送するための搬送手段と、入力画像データを
、
と濃度むらの補正を行うヘッドシェーディングテーブルと
前記
と前記ヘッドシェーディングテーブルと
　【００１６】
　他の形態では、インクを吐出するための記録ヘッドを用い、布にインクを吐出して画像を記録するためのインクジェット記録装置において、前記記録に際して、前記記録ヘッドを移動させるための移動手段と、該移動手段による前記記録ヘッドの移動領域へ前記布を搬送するための搬送手段と、入力画像データを前記記録ヘッドのインク吐出用データとするための処理を行う画像処理手段と、前記搬送手段が記録のために搬送する布の伸縮性に応じて、前記搬送手段による搬送量を変化させる制御手段と、を具えたことを特徴とする。
　【００１７】
　【００１８】
　【００１９】
　【作用】
　以上の構成によれば、入力画像データを
、
と濃度むらの補正を行なうヘッドシェーディングテーブルと
　また、別の形態によれば、記録のために搬送する布の伸縮性に応じてその搬送量を変化させるので、布の種類に応じた伸縮性の違いを解消してこの違いによるつなぎスジの発生を軽減することができる。
　【００２０】
　【実施例】
　以下、図面を参照して本発明の実施例を詳細に説明する。
　【００２１】
　本発明の一実施例にかかる捺染装置を説明する前に、その主要部であるインクジエット記録装置の一般的な構成を、図１〜図３を参照して説明する。なお、その説明では、例えば「記録用紙」等、捺染装置では用いられない用語を用いるが、捺染装置の対応要素が明らかなものは特にその説明はしない。
　【００２２】
　図１において、キャリッジ１はシアン、マゼンタ、イエロー、ブラックの４色のインクをそれぞれ吐出する記録ヘッド２ａ、２ｂ、２ｃ、２ｄを搭載しており、ガイドシャフト３はキャリッジ１を移動可能に案内支持している。エンドレスベルトであるベルト４は、その一部がキャリッジ１に接続されており、キャリッジ１は、モータドライバ２３に駆動されるパルスモータである駆動モータ５によりベルト４を介して、ガイドシャフト３上を紙等の被記録媒体である記録用紙６の記録面に沿って移動するように駆動される。
　【００２３】
　さらに、記録用紙６を搬送する搬送ローラ７、記録用紙６を案内する案内ローラ８Ａ、８Ｂおよび記録用紙搬送モータ９を備えている。
　【００２４】
　また、各記録ヘッド２ａ、２ｂ、２ｃ、２ｄには、記録用紙６に向けてインク滴を吐出させるための複数の吐出口およびこれに連通するインク路が設けられており（ともに不図示）、各インク路には、それぞれの記録ヘッド２ａ、２ｂ、２ｃ、２ｄに対応したインクタンク１１ａ、１１ｂ、１１ｃ、１１ｄから供給チューブ１２ａ、１２ｂ、１２ｃ、１２ｄを介してインクが供給される。また、各インク路には熱エネルギーを発生する電気熱変換素子が設けられ、これに対して、各ヘッドドライバ２４ａ、２４ｂ、２４ｃ、２４ｄよりフレキシブルケーブル１３ａ、１３ｂ、１３ｃ、１３ｄを介して駆動信号が選択的に供給されることにより、インク吐出が行われる。
　【００２５】
　さらに、各記録ヘッド２ａ、２ｂ、２ｃ、２ｄには、それぞれヘッドヒータ１４ａ、１４ｂ、１４ｃ、１４ｄ（１４ｂ〜１４ｄは不図示）と温度検出手段１５ａ、１５ｂ、１５ｃ、１５ｄ（１５ｂ〜１５ｄは不図示）が設けられており、温度検知手段１５ａ、１５ｂ、１５ｃ、１５ｄからの検知信号は、ＣＰＵを有する制御回路１６に入力される。制御回路１６は、この信号に基づいて、ドライバ１７および電源１８を介して、ヘッドヒータ１４ａ、１４ｂ、１４ｃ、１４ｄ（１４ｂ、１４ｃ、１４ｄは図示せず）における加熱を制御し、これにより記録ヘッド２ａ〜２ｄそれぞれの温度が制御される。
　【００２６】
　キャッピングユニット２０は、非記録時に各記録ヘッド２ａ、２ｂ、２ｃ、２ｄの吐出口面に当接するキャップ２０Ａを具え、非記録時には、このキャップ２０Ａと当接するため記録ヘッド２ａ、２ｂ、２ｃ、２ｄが、キャッピングユニット２０と対向する位置へ移動する。このとき、キャッピングユニット２０は、キャップドライバ２５によって前進駆動され、キャップ２０Ａを吐出口面に圧接させてキャッピングを行う。また、キャップユニット２０は、ブレード２０Ｂを具え、各記録ヘッド２ａ〜２ｄの吐出口面をワイピングする。
　【００２７】
　目詰まり防止手段３１は、記録ヘッド２ａ、２ｂ、２ｃ、２ｄが空吐出動作をするときに吐出インクを受けるものである。空吐出受けユニット３１は、記録ヘッド２ａ、２ｂ、２ｃ、２ｄと対面し、これから吐出されたインクを吸収する受液部としての液受け部材３２を備えており、キャッピングユニット２０と記録開始位置との間に配置されている。なお、液受け部材３２の材質としては、スポンジ状多孔質部材、あるいはプラスチック焼結体等が有効である。
　【００２８】
　キャッピングユニット２０には、水吐出用電磁弁６１ならびにエアーポンプドライバ６２が連結され、それぞれ制御回路１６による制御の下でキャッピングユニット２０内に配設された洗浄用の水の吐出ノズルならびにエアーの噴射用ノズルを駆動する。
　【００２９】
　図２は、記録ヘッド２ａ〜２ｄの詳細を示す斜視図であり、図１とは逆の方向から視た図である。
　【００３０】
　図２に示されるように、各記録ヘッドは、記録用紙６の搬送方向（以下、副走査方向という）に複数の吐出口２００ａ、２００ｂ、２００ｃおよび２００ｄをそれぞれ具える。また、４つの記録ヘッド２ａ〜２ｄはヘッドホルダ１９によって一体とされている。図２は、キャリッジ１が図１に示したブレード２０Ｂの近傍にあるときの図を示しており、略記録ヘッドの吐出口２００ａ〜２００ｄを配設した面２２ａ〜２２ｄは、このブレード２０Ｂの前を通るときこれを接触して、その面に付着したインク滴やチリ等がワイピングされる。
　【００３１】
　図３は、図１，２に示した記録装置における記録ヘッドの動作を説明するための平面図である。図１に示したものと同じ要素には同一符号を付け、それらの説明は省略する。
　【００３２】
　図３において、キャッピングユニット検知センサ３６は、それぞれの記録ヘッド２ａ、２ｂ、２ｃ、２ｄが所定のキャッピング位置にあることを検知する。空吐出位置検知センサ３５は、記録ヘッド２ａ、２ｂ、２ｃ、２ｄが走査方向に移動しながら行う空吐出動作の基準位置を検知する。
　【００３３】
　次に、本例インクジェット記録装置の動作について、以下に説明する。
　【００３４】
　まず、待機中には、記録ヘッド２ａ、２ｂ、２ｃ、２ｄがキャッピングユニット２０により、キャッピングされており、制御回路１６に記録指令が入力すると、モータドライバ２３を介して、キャリッジ１が駆動される。このキャリッジ１の移動は、空吐出位置検知センサ３５によって検知され、空吐出受けユニット３１に所定の時間インクの空吐出が行われる。その後、キャリッジ１の移動が記録開始検知センサ３４によって検知されると、その記録開始位置を基準として主走査方向（矢印Ｄ方向）に走行しながら、記録ヘッド２ａ、２ｂ、２ｃ、２ｄの各吐出口２００ａ〜２００ｄから記録データに応じて選択的にインクが吐出される。これにより、記録用紙６の記録幅部分ｐ（図１参照）にドットパターンによる画像が記録される。
　【００３５】
　その後、記録ヘッド２ａ、２ｂ、２ｃ、２ｄが駆動モータ５（図１）により記録開始位置からＰ１パルス分送られ、記録用紙６へのインク吐出による記録を行うと、Ｐ２パルス分のキャリッジ１が移動され一走査分の記録が終了する。その後キャリッジ１はその移動方向を反転し、図中矢印Ｅ方向に駆動されて空吐出位置へ戻る。この移動とともに、記録用紙６は記録幅部分Ｐの幅だけ副走査方向（矢印Ｆ方向）に搬送され、再び前述した動作が繰り返される。なお図３中４４５は水によるヘッドクリーニング機構を示すが、本発明には直接関係しないのでその詳細説明は割愛する。
　【００３６】
　以上説明したインクジェット方式を装置の印刷部に用いた捺染装置の全体構成を図４を参照して説明する。
　【００３７】
　ワークステーション等のホストコンピュータ１０１からインターフェース（ここではＧＰＩＢ）を介し捺染装置内コントロールボード１０２に印刷用画像データが送られる。なお、この画像データを送るための装置は特に限定する必要はなく、ネットワークによる転送、ＭＴ（マグネットテープ）等を介するオフラインでもいいし、形態はいろいろ有り得る。コントロールボード１０２は捺染装置の中枢であり、装置全体を管理する。
　【００３８】
　すなわち、コントロールボード１０２は、操作部１０３との間で、そのキー等の入力を受けたり、所定の表示をするための出力を行う。また、布送り機１０４へ布送りの指示を出す等の処理をする。布送り機１０４との通信の詳細例は図７で説明する。さらに、ドライバーユニット１０５を介してモータ、ソレノイド等のアクチュエータ系の駆動、センサー等を介した各機器状態の読み取りを制御する。
　【００３９】
　各種アクチュエータ、センサの説明は、本発明に直接は関係しないので代表的な機能のもののみを以下に説明する。
　【００４０】
　図１に示したモータ５に対応する図４のキャリッジモータ５は以下に示す点で図１のものとは異なる。図１では、４色の４個の記録ヘッドのみであったが、捺染装置では、前述のように特別色の記録ヘッドＳ１１，Ｓ１２，Ｓ２１およびＳ２２搭載し、しかも１色あたり１個とは限らず１色あたり２個の記録ヘッドを搭載して印刷の高速化を図ることがある。よって、キャリッジ重量、体積は大型化し、キャリッジモータも通常のプリンタや複写機で用いるモータよりも大型化する。また、数十メートルに及ぶ布に連続して印刷を行うため、この間に消費するインクも大量であり、場合によっては例えば１時間で通常のプリンタの最大貯留インク量分のインクを使うケースも考えられる。従って、本例捺染装置では、図１にはないものであり、大量インクを貯留した大型インクタンクをキャリッジとともに移動させるためのインク送りモータ１０６が必要となる。さらに、図１に示したキャップドライバ２５に相当するのが図４のキャッピングモータ２５−１および２５−２であり、本例では記録ヘッドが各色について２つ用いられるのに対応して２つのキャッピングモータを具える。さらに加えて、位置センサＳ−１は、キャリッジの位置や布のあり無し等の情報を検出する。ヘッド駆動用信号は、フレキシブルケーブル１３およびキャリッジ上の中性ボード１０７−１および１０７−２を介して各記録ヘッドに送られる。
　【００４１】
　図５および図６は、コントロールボード１０２内の画像データの処理構成をそのデータの流れとともに示すブロック図である。
　【００４２】
　捺染装置は、まず、ホストコンピュータ１０１から印刷する画像データ、カラーパレットテーブルデータ等の情報を受ける。ホストコンピュータ１０１からの画像データはＧＰＩＢインターフェース５０１、ＧＰＩＢコントローラ５０２、ＤＭＡコントローラ５０３およびＦＭメモリコントローラ５０４を介して画像メモリ５０５に蓄積される。このメモリ５０５の１２４ＭＢｙｔｅというメモリサイズは、Ａ１サイズを８ビットパレットデータで構成した場合のものであり、これは製品仕様に基づいて定めることができる。ホストコンピュータからの転送が終了し、かつ所定の処理を終了すると、捺染装置は印刷のスタンバイ状態となる。
　【００４３】
　（図示していない）ＣＰＵからの、印刷開始信号を受けて、画像メモリ５０５からの画像メモリの読み出しを開始する。ホストコンピュータ１０１から転送されるデータは、ラスターイメージなので、各記録ヘッドを駆動するためのデータへの変換がラスターＢＪ変換５０６で行われ、この変換されたデータは、拡大機能５０７を介してパレット変換５０８にはいる。拡大機能５０７から出力する信号５０７´までは、ホストコンピュータ１０１から送られてきたデータそのものの形態を有しており、この実施例では８ビットのパレット信号である。次段のパレット変換用デバイス５０８と変換テーブル（ＳＲＡＭ）５０９で色データに変換される。この実施例の場合は、シアン、マゼンタ、イエロー、ブラックの４色に特色Ｓ１，Ｓ２を加えた合計６色に色分けされる。
　【００４４】
　ここでパレットテーブル５０９の変換例を図８に示す。
　【００４５】
　８ビットパレットの場合、０〜２５５までの２５６通りの入力があり、図８から理解できるように、その変換は、例えば、
　０が入力された場合　薄い灰色になり、
　１が入力された場合　特色１のベタ印刷になり、
　２が入力された場合　特色２のベタ印刷になり、
　３が入力された場合　シアンとマゼンタの混色でブルーぽい色になり、
　４が入力された場合　黒のベタ印刷になり、
　５が入力された場合　マゼンタとイエローの混色でレッドぽい色になり、
　６が入力された場合　５より、より赤ぽくになり、
　　・・・・・・・・・
　２５４が入力された場合　イエローのべタ印刷になり、
　２５５が入力された場合　何も打たない、
　という変換となる。
　【００４６】
　具体的回路構成としては、各ＲＡＭ５０９のアドレスに入力（パレットデータ）を加え、このアドレスのデータを変換値とする構成である。この変換テーブルが固定である場合には、テーブルをＲＯＭで構成することができる。デバイス５０８は、ＲＡＭの管理およびＣＰＵとのインターフェースとしての機能を有している。
　【００４７】
　次段のＨＳ（ヘッドシェーディング）変換５１０もテーブル変換を行うものであり、図１等に示した記録ヘッド２ａ〜２ｄ（図４では、Ｃ１，Ｃ２，Ｍ１，Ｍ２，Ｙ１，Ｙ２，Ｋ１およびＫ２の参照符号が付されたもの）の各吐出口に対応する印刷濃度のばらつき（むら）の補正を行う。例えば、吐出インク量が少なく記録ドットの濃度が薄くなる吐出口は濃い目にデータ変換し、濃度の濃い吐出口は薄めにデータ変換し、中くらいの吐出口はそのまま流すという処理を行う。５１１はこのＨＳテーブル変換用のＳＲＡＭである。
　【００４８】
　次のγ変換は同様にγ変換デバイス５１２および変換テーブルＲＡＭ５１３とからなり、色毎に、全体の濃度を濃くしたり薄くしたりする階調補正用のテーブル変換を行う。濃度の変換を何もしない場合は、リニアなテーブル、すなわち、０入力には０出力、１００入力には１００出力、２１０入力には２１０出力、２５５入力には２５５出力、という変換を行う。
　【００４９】
　以上の色データ変換テーブル５０９，ＨＳ変換テーブル５１１およびγ変換テーブル５１３を、印刷に用いる布の種類に応じてそれぞれ有するようにすれば、布の種類に応じた最適の印刷を行うことができる。
　【００５０】
　次段の２値化回路５１４は、擬似階調機能を有するデバイスであり、ここへの入力は８ビットの階調データであり、出力は２値化された１ビットの擬似階調データである。この擬似階調データは、単位面積あたり（あるいは単位画素）に形成するドットの数で階調表現するものであり、つなぎメモリ５１５（ＳＲＡＭ）に格納される。
　【００５１】
　この段階で各色に対応する２値化データＣ１，Ｍ１，Ｙ１，Ｋ１，Ａ１，Ｓ２が生成される。各色の２値化信号は以下同様な回路系を通るのでここではＣ１についてのみ、以下説明する。
　【００５２】
　図６において、２値化されたデータＣ１は、通常画像処理を行うためＳＭＳジェネレータ５２２に入力する。しかし、テスト印刷用のパターンジェネレータ（ＰＧ）を構成する２値ＰＧコントローラの５１７およびＥＰＲＯＭ５１８からの出力を受け入れるためにセレクタ５１９が設けられているので、信号Ｃ１はセレクタ５１９の切替えに応じてＳＭＳ（シーケンシャルマルチスキャン）ジェネレータ５２２に入力する。
　【００５３】
　ここで、パターンジェネレータのＥＰＲＯＭ５１８はＰＧデータを格納し、その出力のタイミングはＰＧコントローラ５１７によって管理される。また、反物の場合、端にメーカーのブランド等のロゴマークを入れる場合が多い。このためのデータがＥＰＲＯＭ５２１に蓄積され、ロゴコントロール５２０は、このデータに基づくロゴマークを入れ込む位置や長さ等を管理する。すなわち、データＣ１は、これにロゴデータが付加された後、ＳＭＳジェネレータ５２２に入力する。
　【００５４】
　ＳＭＳジェネレータ５２２は、例えば本願人による特願平４−７４２０９号にあるように、データＣ１に対応する画素に記録ヘッドＣ１およびＣ２の各インク吐出口のいずれの吐出口によりドットを形成するかの振り分け処理を行う。これにより、各吐出口が有するインク吐出のムラによる印刷品位の低下を防止することができる。これを簡単に説明すると、布上のそれぞれの印刷画素を複数のドットで形成する場合、これらドットの各々を、記録ヘッドＣ１およびＣ２の互いに異なる走査における互いに異なる吐出口からのインク吐出によって形成、この異なる吐出口を順次に用いるものである。以上説明したように、ＳＭＳジェネレータ５２２は印刷するデータを、所定の手順でつなぎメモリコントロール５２３と５２５との２つに振り分ける。
　【００５５】
　つなぎメモリ５２４は、記録ヘッド間隔の物理的位置の補正をするためのデータ蓄積メモリであり、ＳＭＳジェネレータ５２２によって振り分けられ入力された画像データは一旦このメモリに蓄積され、記録ヘッドの物理的位置に応じたタイミングで読み出される。つなぎメモリコントロール５２３および５２５はこの読出しをデータ管理する。データ並び換え５２７は各記録ヘッドに合わせたデータの並び換えをする。
　【００５６】
　以上のように２値化後のシアンデータＣ１は２つの記録ヘッドに応じて並列の上記処理が行われた後、中継ボード１０７を介し２つの記録ヘッドＣ１およびＣ２に送られる。
　【００５７】
　図７は布送り機１０４と印刷部のコントロールボード１０２との通信仕様を表した図であり、布送り機１０４のレディ信号ＲＤＹと印刷部側のレディ信号ＰＲＮ−ＲＤＹが共に“Ｈ”で通信可能となる。印刷部から被記録媒体としての布を送ってほしい旨の要求信号ＲＥＱ−ＳＥＮＤを出力すると、布送り機１０４側は布を送っている旨の信号ＡＣＫ−ＳＥＮＤを出力する。信号ＣＲ−ＨＰは記録ヘッドが所定の位置にいる旨を示す信号であり、この信号が“Ｈ”の場合は布を送ってもよいことを示している。このような構成を採るのは、記録ヘッドが布の上にあるときに布送りをすると、記録ヘッド面を傷つけるおそれがあるためである。
　【００５８】
　信号ＥＲＲＯＲ−ＤＯは布送り機１０４に何らかのエラーが発生していることを示すものであり、印刷部側のＣＰＵは所定の間隔でこの信号をモニターしている。信号ＰＲＮ−ＥＲＲＯＲは印刷部側の出すエラー信号であり、布送り機１０４のＣＰＵは所定の間隔でこの信号をモニターしている。信号ＩＮＫＬＥＳＳは、印刷部のインクがなくなりかけていることを示す信号であり、信号ＬＮＧＴＨ−ＤＯは、布送り量の調整値を示す信号であり、この信号の３ビットからなる例を下記の表１に示す。
　【００５９】
　【表１】
　【００６０】
　布の種類に応じて、このビットを切り替えることにより布送り量の微調整が可能となる。この構成において、必要に応じて、ビット数を増やせば調整値の数を増して多くの調整ができる。信号ＷＩＤＴＨ−Ｄ１は、布送り量を示す信号であり、この信号の２ビットからなる例を下記の表２に示す。
　【００６１】
　【表２】
　【００６２】
　布の送り量の切り替えは印刷方式の変更や、記録ヘッドの変更という大きな変更に対する処置である。
　【００６３】
　以上説明した捺染装置の構成における種々の動作を以下に説明する。
　【００６４】
　
綿
　【００６５】
　図５および図６で説明した回路の電源投入時等のＲＡＭチェックルーティンにおけるブロック分け、ブロック毎のエラー発生数の表示の仕組みについて説明する。
　【００６６】
　ＲＡＭチェックルーティンでは、ＣＰＵは、図５および図６に示した全てのＲＡＭに対し、所定のデータを書込みかつこれを読んで正常であることを確認する。インクジェット方式の捺染装置のように、各部に巨大なメモリを有する装置においては、ＲＡＭチェックだけでも数１０分を費やし、オペレータは装置が現在どのような状態であるのかを認識しづらい。従って、このルーティンの第１ステップでは画像メモリ５０５の前半部分を、第１ステップのチェック中であることを表示しつつライトリードチェックし、第２ステップでは、画像メモリ５０５の後半部分を、第２ステップのチェック中であることを表示しつつライトリードチェックし、第３ステップでは、各色のパレット変換用ＳＲＡＭ５０９を、第３ステップのチェック中であることを表示しつつライトリードチェックし、第４ステップでは、各色のＨＳ変換用ＳＲＡＭ５１１を、第４ステップのチェック中であることを表示しつつライトリードチェックし、以下同様にステップ毎にチェックを進め、それぞれのステップ内でのエラー情報を合わせて表示することで、どこを修理すればよいかがオペレータがすぐ判かる構成をとる。
　【００６７】
　例えば、第３ステップで、たまにランダムにエラーが発生する場合には、ＲＡＭデバイスそのものを交換することをオペレータは思いつくであろうし、また、例えば、第３ステップで、全てにエラーが発生するような場合はＲＡＭデバイスの装着具合をチェックすることをオペレータは思いつくであろうし、さらに、例えば、第３ステップで、ある間隔でエラーが発生するような場合はＲＡＭデバイスのアドレスラインのゴミ付着や配線切れをチェックすることをオペレータは思いつくであろう。
　【００６８】
　操作部１０３の詳細は図４には示されないが、データ入力手段としてのキースイッチ等を具え、また、表示手段として液晶表示装置あるいはＬＥＤを具える。捺染装置の場合、長い反物を印刷する場合、数時間や１日以上連続印刷することもある。そのため、現在、何という柄を印刷中であるか、何メートル印刷したか、何メートル印刷することになっているのか、布の送り量の設定値はいくらか等、これらを表示部でいつもチェックできることは装置の操作性を向上させることになる。
　【００６９】
　図９はこの表示例を主に示す。模式的平面図である。
　【００７０】
　図９において、液晶表示装置９０１には、印刷済みの長さ９０２、印刷残り長さ９０３、布送り量９０４、登録された画像データ名９０６および布送り量微調整値９０５がそれぞれ表示される。また、操作部１０３にはエラーを表示するランプ９０７が設けられる。
　【００７１】
　操作部１０３上には停止ボタン９０８および緊急停止ボタン９０９が設けられており、停止ボタン９０８が押されたとき、ＣＰＵは、記録ヘッドが走査中であれば、これを終了してから停止し、図５および図６で示した各ブロック内のメモリアドレスカウンタ等もそれまでの動作状態を保持したまま停止状態を保ち、次のスタート開始信号を待つ。再スタートがかかった場合は、印刷柄は連続してつながる。このモードは、保守用の一時停止等に有効である。
　【００７２】
　また、緊急停止ボタン９０９が押されたときは、ＣＰＵは、事故等を想定しアクチュエータの駆動を全て停止する。この場合、再スタートがかかっても、印刷柄は連続してつながらない。しかし、画像メモリ５０５は消去されないので、データ転送を再度することなく印刷動作を開始でき、印刷柄の最初の部分から再び印刷される。
　【００７３】
　本発明のインクジェット記録装置に用いられる被記録媒体は、上記実施例に示した布ばかりでなく、紙等であってもよい。また、布としても、上述したものに限られず、天然，合成いずれの布をも用いることができ、さらに織布あるいは不織布いずれでもよい。
　【００７４】
（その他）
　なお、本発明は、特にインクジェット記録方式の中でも、インク吐出を行わせるために利用されるエネルギとして熱エネルギを発生する手段（例えば電気熱変換体やレーザ光等）を備え、前記熱エネルギによりインクの状態変化を生起させる方式の記録ヘッド、記録装置において優れた効果をもたらすものである。かかる方式によれば記録の高密度化，高精細化が達成できるからである。
　【００７５】
　その代表的な構成や原理については、例えば、米国特許第４７２３１２９号明細書，同第４７４０７９６号明細書に開示されている基本的な原理を用いて行うものが好ましい。この方式は所謂オンデマンド型，コンティニュアス型のいずれにも適用可能であるが、特に、オンデマンド型の場合には、液体（インク）が保持されているシートや液路に対応して配置されている電気熱変換体に、記録情報に対応していて核沸騰を越える急速な温度上昇を与える少なくとも１つの駆動信号を印加することによって、電気熱変換体に熱エネルギを発生せしめ、記録ヘッドの熱作用面に膜沸騰を生じさせて、結果的にこの駆動信号に一対一で対応した液体（インク）内の気泡を形成できるので有効である。この気泡の成長，収縮により吐出用開口を介して液体（インク）を吐出させて、少なくとも１つの滴を形成する。この駆動信号をパルス形状とすると、即時適切に気泡の成長収縮が行われるので、特に応答性に優れた液体（インク）の吐出が達成でき、より好ましい。このパルス形状の駆動信号としては、米国特許第４４６３３５９号明細書，同第４３４５２６２号明細書に記載されているようなものが適している。なお、上記熱作用面の温度上昇率に関する発明の米国特許第４３１３１２４号明細書に記載されている条件を採用すると、さらに優れた記録を行うことができる。
　【００７６】
　記録ヘッドの構成としては、上述の各明細書に開示されているような吐出口，液路，電気熱変換体の組合せ構成（直線状液流路または直角液流路）の他に熱作用部が屈曲する領域に配置されている構成を開示する米国特許第４５５８３３３号明細書，米国特許第４４５９６００号明細書を用いた構成も本発明に含まれるものである。加えて、複数の電気熱変換体に対して、共通するスリットを電気熱変換体の吐出部とする構成を開示する特開昭５９−１２３６７０号公報や熱エネルギの圧力波を吸収する開孔を吐出部に対応させる構成を開示する特開昭５９−１３８４６１号公報に基いた構成としても本発明の効果は有効である。すなわち、記録ヘッドの形態がどのようなものであっても、本発明によれば記録を確実に効率よく行うことができるようになるからである。
　【００７７】
　加えて、上例のようなシリアルタイプのものでも、装置本体に固定された記録ヘッド、あるいは装置本体に装着されることで装置本体との電気的な接続や装置本体からのインクの供給が可能になる交換自在のチップタイプの記録ヘッド、あるいは記録ヘッド自体に一体的にインクタンクが設けられたカートリッジタイプの記録ヘッドを用いた場合にも本発明は有効である。
　【００７８】
　また、本発明の記録装置の構成として、記録ヘッドの吐出回復手段、予備的な補助手段等を付加することは本発明の効果を一層安定できるので、好ましいものである。これらを具体的に挙げれば、記録ヘッドに対してのキャッピング手段、クリーニング手段、加圧或は吸引手段、電気熱変換体或はこれとは別の加熱素子或はこれらの組み合わせを用いて加熱を行う予備加熱手段、記録とは別の吐出を行なう予備吐出手段を挙げることができる。
　【００７９】
　また、搭載される記録ヘッドの種類ないし個数についても、例えば単色のインクに対応して１個のみが設けられたものの他、記録色や濃度を異にする複数のインクに対応して複数個数設けられるものであってもよい。すなわち、例えば記録装置の記録モードとしては黒色等の主流色のみの記録モードだけではなく、記録ヘッドを一体的に構成するか複数個の組み合わせによるかいずれでもよいが、異なる色の複色カラー、または混色によるフルカラーの各記録モードの少なくとも一つを備えた装置にも本発明は極めて有効である。
　【００８０】
　さらに加えて、以上説明した本発明実施例においては、インクを液体として説明しているが、室温やそれ以下で固化するインクであって、室温で軟化もしくは液化するものを用いてもよく、あるいはインクジェット方式ではインク自体を３０℃以上７０℃以下の範囲内で温度調整を行ってインクの粘性を安定吐出範囲にあるように温度制御するものが一般的であるから、使用記録信号付与時にインクが液状をなすものを用いてもよい。加えて、熱エネルギによる昇温を、インクの固形状態から液体状態への状態変化のエネルギとして使用せしめることで積極的に防止するため、またはインクの蒸発を防止するため、放置状態で固化し加熱によって液化するインクを用いてもよい。いずれにしても熱エネルギの記録信号に応じた付与によってインクが液化し、液状インクが吐出されるものや、記録媒体に到達する時点ではすでに固化し始めるもの等のような、熱エネルギの付与によって初めて液化する性質のインクを使用する場合も本発明は適用可能である。このような場合のインクは、特開昭５４−５６８４７号公報あるいは特開昭６０−７１２６０号公報に記載されるような、多孔質シート凹部または貫通孔に液状又は固形物として保持された状態で、電気熱変換体に対して対向するような形態としてもよい。本発明においては、上述した各インクに対して最も有効なものは、上述した膜沸騰方式を実行するものである。
　【００８１】
　さらに加えて、本発明インクジェット記録装置の形態としては、コンピュータ等の情報処理機器の画像出力端末として用いられるものの他、リーダ等と組合せた複写装置、さらには送受信機能を有するファクシミリ装置の形態を採るもの等であってもよい。
　【００８２】
　【発明の効果】
　以上説明したように、本発明によれば、入力画像データを
、
と濃度むらの補正を行なうヘッドシェーディングテーブルと
　また、別の形態によれば、記録のために搬送する布の伸縮性に応じてその搬送量を変化させるので、布の種類に応じた伸縮性の違いを解消してこの違いによるつなぎスジの発生を軽減することができる。
　【００８３】
　この結果、布の種類に依存せずに、布上に再現するカラー画像の色を適切なものとしたり、つなぎスジの現われ方などを軽減できるインクジェット記録装置を提供することが可能となる。
【図面の簡単な説明】
　【図１】
　本発明の捺染装置の記録部に用いられるインクジェット方式記録装置の一般的構成を示す斜視図である。
　【図２】
　図１に示した記録ヘッドの詳細を示す斜視図である。
　【図３】
　図１に示した装置の動作を説明するための装置の概略平面図である。
　【図４】
　本発明の一実施例にかかる捺染装置の全体構成を示すブロック図である。
　【図５】
　図４に示したコントロールボード内の構成を示すブロック図である。
　【図６】
　図４に示したコントロールボード内の構成を示すブロック図である。
　【図７】
　図４に示したコントロールボードと布送り機との通信を説明するための各信号のタイミングチャートである。
　【図８】
　図５に示したパレット変換テーブルの内容を模式的に示す図である。
　【図９】
　図４に示した操作部の主に表示部を示す模式的平面図である。
　【符号の説明】
　５　ヘッド送りモータ
　２５−１，２５−２　キャッピングモータ
　１０１　ホストコンピュータ
　１０２　コントロールボード
　１０３　操作部
　１０４　布送り機
　１０５　ドライバユニットＩ／Ｏ
　１０６　インク送りモータ
　１０７−１，１０７−２　中継ボード
　５０４　ＦＭコントローラ
　５０５　画像メモリ
　５０６　ラスターＢＪ変換
　５０７　拡大
　５０８　パレット変換
　５０９　テーブルＲＡＭ
　５１０　ＨＳ変換
　５１１　テーブルＲＡＭ
　５１２　γ変換
　５１３　テーブルＲＡＭ
　５１４　２値化回路
　５１５　つなぎＲＡＭ
　５２２　ＳＭＳジェネレータ
　５２３，５２５　つなぎメモリコントロール
　５２４，５２６　つなぎメモリ
　５２７，５０８　データ並び換え
　Ｃ１，Ｃ２，Ｍ１，Ｍ２，Ｙ１，Ｙ２，Ｋ１，Ｋ２，Ｓ１１，Ｓ１２，Ｓ２１，Ｓ２２　記録ヘッド